(57)【要約】【課題】シャッターケースの防火性能を向上させる。【解決手段】シャッターケース１は、建物外壁Ｗに対して持ち出し状に設けられた左右のブラケット７と、左右のブラケット７間を連結する複数本のケースアングル材８Ａ〜８Ｅと、左右のブラケット７及びケースアングル材８Ａ〜８Ｅに対して取り付けたケース板１０〜１３と、からなり、上側・外壁側ケースアングル材８Ａの長さ方向の少なくとも中央部位を含む部位に亘って、上側・外壁側ケースアングル材８Ａに当接させて長尺状の補強板材９が設けられ、上面ケース板１０の外壁側部位は、重なり合った上側・外壁側ケースアングル材８Ａ及び補強板材９に対して固定されている。【選択図】図５
2014181478.tif 000002
【特許請求の範囲】
【請求項１】
窓シャッターのシャッターケースは、建物外壁に対して持ち出し状に設けられた左右のブラケットと、前記左右のブラケット間を連結する複数本のケースアングル材と、前記左右のブラケット及び前記ケースアングル材に対して取り付けたケース板と、からなり、
前記複数本のケースアングル材の中の上側・外壁側ケースアングル材の長さ方向の少なくとも中央部位を含む部位に亘って、当該上側・外壁側ケースアングル材に当接させて長尺状の補強板材が設けられ、
前記ケース板の中の上面ケース板の外壁側部位は、上側・外壁側ケースアングル材及び前記補強板材に対して固定されている、
窓シャッターのシャッターケースの防火構造。
【請求項２】
前記上側・外壁側ケースアングル材は、水平片と、水平片から垂下する垂直片と、を備え、
前記補強板材は、水平片と、水平片から垂下する垂直片と、を備え、
前記補強板材の水平片及び垂直片を、それぞれ、前記上側・外壁側ケースアングル材の水平片の上面及び垂直片の外壁側面に当接させ、
前記上面ケース板の外壁側部位を、前記補強板材の水平片の上面に当接させ、前記上面ケース板の外壁側部位、前記補強板材の水平片、前記上側・外壁側ケースアングルの水平片を固定してなる、
請求項１に記載の窓シャッターのシャッターケースの防火構造。
【発明の詳細な説明】
【技術分野】
【０００１】
本発明は、窓シャッターのシャッターケースの防火構造に関するものである。
【背景技術】
【０００２】
窓シャッター装置は、窓装置の室外側の空間を開閉するように建物の外壁Ｗに取り付けられており、シャッターにより窓開口部が閉鎖された状態では、左右の金属製のガイドレール内に金属製のシャッターカーテンの幅方向両端部が受け入れられると共に、シャッターカーテン下端の金属製の座板が金属製の下枠に対して、室内外方向に直線的な貫通隙間を形成しないような態様で接触ないし近接した状態であり、本来的に所定の防火性能が備わっている。
【０００３】
しかしながら、より長い避難時間を確保し、また、延焼をなるべく食い止めるためには、耐火性能がより長い時間維持されることが望ましい。本発明者等は、窓シャッターによって閉鎖された窓開口部において、火災時にシャッターケースを介して火炎等が内部に吹き込むことを抑制することで、窓シャッターの防火性能を向上させることを考えた。
【０００４】
特に、シャッターケースの上面ケース板を建物躯体（外壁）ではなく、上側・外壁側ケースアングル材に連結するような構造（特許文献１）において、当該上側・外壁側ケースアングル材及び上面ケース板が火災時の熱で変形すると、上面ケース板と建物躯体との間に火炎の吹き込みを許容するような隙間が生じるおそれがある。本発明者等が試験を行ったところ、シャッターケースが熱せられると、上側・外壁側ケースアングル材及び上面ケース板の中央部位が上側に膨らむように変形して、変形した上面ケース板１０´と外壁Ｗとの間に防火上不利な隙間が形成されるおそれがあることがわかった（図１０参照）。
【特許文献１】特開２０００−１１０４６０
【発明の開示】
【発明が解決しようとする課題】
【０００５】
本発明は、窓シャッターのシャッターケースの防火性能を向上させることを目的とするものである。
【課題を解決するための手段】
【０００６】
本発明が採用した技術手段は、
窓シャッターのシャッターケースは、建物外壁に対して持ち出し状に設けられた左右のブラケットと、前記左右のブラケット間を連結する複数本のケースアングル材と、前記左右のブラケット及び前記ケースアングル材に対して取り付けたケース板と、からなり、
前記複数本のケースアングル材の中の上側・外壁側ケースアングル材の長さ方向の少なくとも中央部位を含む部位に亘って、当該上側・外壁側ケースアングル材に当接させて長尺状の補強板材が設けられ、
前記ケース板の中の上面ケース板の外壁側部位は、上側・外壁側ケースアングル材及び前記補強板材に対して固定されている、
窓シャッターのシャッターケースの防火構造、である。
【０００７】
１つの態様では、前記上側・外壁側ケースアングル材は、水平片と、水平片から垂下する垂直片と、を備え、
前記補強板材は、水平片と、水平片から垂下する垂直片と、を備え、
前記補強板材の水平片及び垂直片を、それぞれ、前記上側・外壁側ケースアングル材の水平片の上面及び垂直片の外壁側面に当接させ、
前記上面ケース板の外壁側部位を、前記補強板材の水平片の上面に当接させ、前記上面ケース板の外壁側部位、前記補強板材の水平片、前記上側・外壁側ケースアングルの水平片を固定してなる。
【発明の効果】
【０００８】
本発明では、上面ケース板の外壁側部位が上側・外壁側ケースアングル材に対して連結されるものでありながら、上側・外壁側ケースアングル材の長さ方向の少なくとも中央部位（最も熱変形し易い部位）を含む部位に亘って、当該上側・外壁側ケースアングル材に当接して重なるように長尺状の補強板材が設けられ、前記上面ケース板の外壁側部位を、重なり合った上側・外壁側ケースアングル材及び前記補強板材に対して固定したので、室外側で火災が発生した場合に、熱の影響でシャッターケースの上面ケース板および／あるいは上側・外壁側ケースアングル材が変形して、上面ケース板と外壁との間に隙間が生じることを防止し、火災時におけるシャッターケース内部および当該内部を通る室内側への炎等の吹き込みを防止する。
【図面の簡単な説明】
【０００９】
【図１】窓シャッター装置の概略正面図及び側面図である。
【図２】窓シャッター装置の上方部位の縦断面図である。
【図３】窓シャッター装置のシャッターケース及びその内部要素を示す縦断面図である。
【図４】図３を正面から見た図である。
【図５】シャッターケースの上側・外壁側部位を示す部分縦断面図である。
【図６】シャッターケースの正面図であり、上側・外壁側ケースアングル材に対して補強板材が設けられる部位を例示している。
【図７】補強板材を示す図である。
【図８】窓シャッター装置のシャッターケースの下方部位を示す部分図である。
【図９】シャッターケース及びその内部要素を示す底面図である。
【図１０】シャッターケースの上面ケース板が熱変形した場合を説明する図である。
【発明を実施するための形態】
【００１０】
図１において、左図は窓シャッター装置を室外側から見た正面図、右図は窓シャッター装置の側面図である。図２は、窓シャッター装置の上方部位の縦断面図である。窓シャッター装置は、建物の窓開口部に設置した窓装置の室外側に設けてある。窓シャッター装置は、窓開口部の上方に位置して、外壁Ｗに持ち出し状に取り付けられたシャッターケース１と、窓開口部の幅方向両側に位置して窓装置のサッシ枠に対して持ち出し状に取り付けられた左右のガイドレール下地枠２と、左右のガイドレール下地枠２に支持された左右のガイドレール３と、シャッターケース１内に設けた巻取シャフト４と、上端が巻取シャフト４に連結されており、巻取シャフト４に巻き取られ／繰り出されることで、幅方向両端部がガイドレール３のガイド溝に案内されながら昇降して窓開口部の室外側部位を開閉するシャッターカーテン５と、窓開口部の下方に位置して、窓装置のサッシ枠に持ち出し状に取り付けられた下枠（水切板）６と、を備えている。
【００１１】
シャッターカーテン５の上端は巻取シャフト４に連結されており、シャッターカーテン５の下端部位には座板５１が設けてある。巻取シャフト４は、シャッターケース１内に配置した開閉機Ｍと伝動連結されており、開閉機Ｍにより巻取シャフト４を正逆回転させてシャッターカーテン５の昇降を行う。図２において、座板５１は窓開口部全開時の高さ位置を示しており、窓開口部全開時には、シャッターカーテン５は巻取シャフト４に巻き取られた状態にあって、座板５１の室外側に設けたストッパ５２が開口部上方のまぐさ部（ケース下板１２の第３面部１２２）に当接する。図２に示すように、シャッターケース１において、ガイドレール３の上端は外壁側に位置しており、開閉機Ｍは先端側に位置している。本明細書において、「外壁側」、「先端側」という表現は、「外壁Ｗないし躯体に近い側」、「外壁Ｗないし躯体から遠い側」を示し、構成要素の相対的な位置を規定するのに用いられる。
【００１２】
シャッターケース１の外表面を形成するケース板は、上面ケース板１０、正面ケース板１１、下面ケース板１２、側面ケース板１３、から形成されている。図示の態様では、上面ケース板１０、正面ケース板１１、側面ケース板１３は１枚の金属製板材を折り曲げて形成されており、下面ケース板１２のみが別体の金属製板材から形成されている。なお、ケース板を金属製板材からどのように形成するかは、当業者において適宜設計し得る事項であり、ケース板を構成する金属製板材の枚数や当該板材の折り曲げ態様や形状等は、限定されない。
【００１３】
上面ケース板１０は、外壁側から先端側かつ開口幅方向（左右方向）に延びる板部である。より具体的には、上面ケース板１０は、外壁Ｗから先端に向かって緩やかに下向き傾斜状に延びる主面部１００と、主面部１００の外壁側端部から下方に延びる立下り片１０１と、立下り片１０１の下端から外壁側に向かって水平に延びる外壁側水平片１０２と、からなる。
【００１４】
正面ケース板１１は、外壁Ｗに略平行して垂直方向に延びる板部である。より具体的には、正面ケース板１１は、垂直状に延びる主面部１１０と、主面部１１０の下端から外壁側に延びる下側折曲片１１１と、からなる。正面ケース板１１の主面部１１０の上端と上面ケース板１０の主面部１００の先端は一致している。主面部１１０の下半側には、凹部１１２が形成されている。
【００１５】
側面ケース板１３は、外壁Ｗに略直角で、かつ、垂直方向に延びる板部であり、板部の下半側には凹部１３０が形成されている。側面ケース板１３の上端と上面ケース板１０の主面部１００の開口幅方向（左右方向）の端部は一致している。
【００１６】
下面ケース板１２は、全体として水平状にかつ開口幅方向（左右方向）に延びる板部である。より具体的には、先端側の第１面部１２０と、第１面部１２０の外壁側に位置する第２面部１２１と、第２面部１２１の外壁側に位置する第３面部１２２と、を備えている。第２面部１２１の高さ位置は、第１面部１２０及び第３面部１２２の高さ位置よりも下側に位置している。第３面部１２２の外壁側には立ち上がり片が形成されており、第３面部１２２はまぐさ部を形成している。第１面部１２０は、正面ケース板１１の下側折曲片１１１と重なり合っており、上面ケース板１０、正面ケース板１１、側面ケース板１３を形成する金属製板材と、下面ケース板１２を形成する金属製板材と、は当該重なり部位において連結されている。
【００１７】
シャッターケース１のフレーム構造は、開口幅方向（左右方向）に間隔を存して、外壁Ｗに対して持ち出し状に設けた左右のブラケット７と、左右のブラケット７間を架け渡すように水平状に延びる複数本の長尺材、具体的には、上側・外壁側ケースアングル材８Ａ、上側・先端側ケースアングル材８Ｂ、下側・先端側ケースアングル材８Ｃ、下側・外壁側ケースアングル材８Ｄ、開閉機取付用ケースアングル材８Ｅと、を備え、これらのケースアングル材８Ａ、８Ｂ、８Ｃ、８Ｄ、８Ｅの長さ方向の一方の端部が左側のブラケット７に連結され、他方の端部が右側のブラケット７に連結されている。連結手段としてはリベットＲを例示することができる。
【００１８】
ブラケット７は、外壁Ｗに対して持ち出し状（直角）に延びる垂直状の面部７０を有し、巻取シャフト４の長さ方向の一方の端部は左側のブラケット７の面部７０に支持され、他方の端部は右側のブラケット７の面部７０に支持されている。面部７０の周縁は外壁側の後辺、上側の上辺、先端側の前辺、下側の下辺、を備えており、後辺には面部７０に対して垂直状に折り曲げ形成された折曲片７１が形成され、上辺には面部７０に対して垂直状に折り曲げ形成された折曲片７２が形成され、前辺には面部７０に対して垂直状に折り曲げ形成された折曲片７３、７４、７５が形成され、下辺には面部７０に対して垂直状に折り曲げ形成された折曲片７６、７７、７８が形成されている。面部７０の周縁に折り曲げ形成された折曲片の数や部位は、図示の態様に限定されない。
【００１９】
図２に示すように、外壁Ｗには、ブラケット７の取付金具１４が螺子１４０で固定されており、ブラケット７は、外壁側の折曲片７１の上側を取付金具１４の上側に掛止させ、折曲片７１の下側の折り返し片を取付金具１４の折り返し片に重ね合わせて螺子で固定することで、外壁Ｗに取り付けられる。
【００２０】
上側・外壁側ケースアングル材８Ａの長さ方向両端は、左右のブラケット７の折曲片７１の上端部位に連結されている。上側・先端側ケースアングル８Ｂの長さ方向両端は、左右のブラケット７の折曲片７３の上端部位に連結されている。下側・先端側のケースアングル８Ｃの長さ方向両端は、左右のブラケット７の折曲片７６に連結されている。下側・外壁側のケースアングル材８Ｄの長さ方向両端は、左右のブラケット７の折曲片７８に連結されている。開閉機取付用ケースアングル材８Ｅの長さ方向両端は、ブラケット７の下辺に折り曲げ形成された図示しない折曲片に連結されている。
【００２１】
上側・外壁側ケースアングル材８Ａは、水平片８０と、水平片８０の外壁側から垂下する垂直片８１と、水平片８０の先端側から下方に延びる湾曲片８２と、を備えており、垂直片８１とブラケット７の折曲片７１とを重ね合わせてリベットＲで連結している。
【００２２】
図６に示すように、上側・外壁側ケースアングル材８Ａの長さ方向の中央部位を含む部位には、補強板材９が設けてある。補強板材９は、水平片９０と、水平片９０の外壁側から垂下する垂直片９１と、を備え、補強板材９の水平片９０及び垂直片９１を、それぞれ、上側・外壁側ケースアングル材８Ａの水平片８０の上面及び垂直片８１の外壁側面に面接触状態で当接させ、さらに、上面ケース板１０の外壁側の面部、すなわち、外壁側水平片１０２を、補強板材９の水平片９０の上面に面接触状態で当接させ、上面ケース板１０の外壁側水平片１０２、補強板材９の水平片９０、上側・外壁側ケースアングル８Ａの水平片８０を互いに重なり合わせた状態で複数の螺子９２で固定してなる。なお、補強板材９を上側・外壁側ケースアングル材８Ａの全長に亘って設けてもよい。
【００２３】
上面ケース板１０の主面部１００は、ブラケット７の折曲片７２に面接触して支持され、正面ケース板１１の凹部１１２は、ブラケット７の折曲片７４に面接触し、下面ケース板１２の第１面部１２０、第２面部１２２は、それぞれブラケット７の折曲片７６、７７に面接触している。上面ケース板１０の外壁側（立下り片１０１、外壁側水平片１０２）は、外壁Ｗとの間で凹部を形成しており、凹部にはコーキング材Ｃが充填されている。
【００２４】
図８、図９に示すように、下側・先端側ケースアングル材８Ｃ、開閉機取付用ケースアングル材８Ｅ、下側・外壁側ケースアングル材８Ｄの長さ方向の中央部位には、これらの３つのケースアングル材８Ｃ、８Ｅ、８Ｄを長さ方向に直交する方向に連結する連結部材１５が設けてある。図８に示すように、連結部材１５は、下側・先端側ケースアングル材８Ｃの水平片８０Ｃに当接する第１部分１５０と、開閉機取付用ケースアングル材８Ｅの水平片８０Ｅに当接する第２部分１５１と、下側・外壁側ケースアングル材８Ｄの水平片８０Ｄに当接する第３部分１５２と、を備えており、第１部分１５０と下側・先端側ケースアングル材８Ｃの水平片８０Ｃとはリベット１５００で、第２部分１５１と開閉機取付用ケースアングル材８Ｅの水平片８０Ｅとはリベット１５１０で、第３部分１５２と下側・外壁側ケースアングル材８Ｄの水平片８０Ｄと下面ケース板１２の第３面部１２２とは螺子１５２０で連結されている。
【００２５】
上面ケース板１０の外壁側部位（外壁側水平片１０２）は上側・外壁側ケースアングル材８Ａに対して連結されているが、本実施形態では、上側・外壁側ケースアングル材８Ａの長さ方向の少なくとも中央部位を含む部位に亘って、上側・外壁側ケースアングル材８Ａに面接触状態で当接して重なるように長尺状の補強板材９が設けられ、上面ケース板１０の外壁側水平片１０２は、重なり合った上側・外壁側ケースアングル材８Ａの水平片８０及び補強板材９の水平片９０に対して螺子９２で固定されている。
【００２６】
室外側で火災が発生した場合に、上側・外壁側ケースアングル材８Ａにおいて、最も変形し易い長さ方向中央部位を含む部位を補強板材９が補強されているので、上面ケース板１０および／あるいは上側・外壁側ケースアングル材８Ａが変形して、上面ケース板１０の外壁側と外壁Ｗとのに防火上不利な隙間が生じることを防止し、火災時におけるシャッターケース１の内部および当該シャッターケース１の内部を通る室内側（全閉状態にあるシャッターカーテンの室内側）への炎等の吹き込みを防止する。
【００２７】
本実施形態では、連結部材１５が、下側・先端側ケースアングル材８Ｃ、開閉機取付用ケースアングル材８Ｅ、下側・外壁側ケースアングル材８Ｄの長さ方向の中央部位を連結しているので、室外側で火災が発生した場合に、加熱による下側・先端側ケースアングル材８Ｃ、開閉機取付用ケースアングル材８Ｅ、下側・外壁側ケースアングル材８Ｄ、及び、下面ケース板１２の変形を可及的に防止する。例えば、まぐさ部を形成する下面ケース板１２の第３面部１２２が下方に垂れるように変形すると、炎等がシャッターケース１内に吹き込み易くなるが、本実施形態では、連結部材１５の第３部分１５２、下面ケース板１２の第３面部１２２、下側・外壁側ケースアングル材８Ｄの水平片８０Ｄが螺子１５２０で連結されているので、下側・外壁側ケースアングル材８Ｄ、下面ケース板１２の変形を防止し、下面ケース板１２の第３面部１２２が下方に垂れることを規制する。
【符号の説明】
【００２８】
１  シャッターケース
１０  上面ケース板
１０２  外壁側水平片
８Ａ  上側・外壁側ケースアングル材
９  補強部材
９２  螺子
【図１】
2014181478.tif 000003
【図２】
2014181478.tif 000004
【図３】
2014181478.tif 000005
【図４】
2014181478.tif 000006
【図５】
2014181478.tif 000007
【図６】
2014181478.tif 000008
【図７】
2014181478.tif 000009
【図８】
2014181478.tif 000010
【図９】
2014181478.tif 000011
【図１０】
2014181478.tif 000012